(57)【特許請求の範囲】
【請求項１】
受枠の内周面に設けた係止部と、蓋本体の裏面周縁に水平旋回可能に軸支され、上部に操作面を設けると共に、下部には前記係止部に係合可能な係合部を設けた錠本体と、前記蓋本体と前記錠本体との間に配設した付勢部材とからなり、前記錠本体は、閉蓋状態で前記操作面が前記蓋本体の縁巻に開設された開口部に臨むと共に、前記蓋本体を持ち上げたときに、前記操作面が前記受枠上端から見える状態で係止するように、前記係合部を前記係止部の真下位置に構成していることを特徴とする地下構造物用蓋の施錠構造。
【請求項２】
付勢部材は、閉蓋状態での錠本体の捻りモーメントが０となるように調節されていることを特徴とする請求項１に記載の地下構造物用蓋の施錠構造。
【請求項３】
蓋本体の係合部が係止部の真下位置で静止するように、付勢部材による捻りモーメントに抗するストッパを設けたことを特徴とする請求項１に記載の地下構造物用蓋の施錠構造。
【請求項４】
前記係合部の先端上面に上向きの突起を設けたことを特徴とする請求項１乃至３に記載の地下構造物用蓋の施錠構造。
【請求項５】
前記係合部は、錠本体の垂直軸から蓋本体の周縁に向けて斜めに突出させ、その下部を先端から錠本体の中心方向に向かって斜めに下降する斜面としたことを特徴とする請求項１乃至４に記載の地下構造物用蓋の施錠構造。
【請求項６】
前記錠本体は、蓋本体を貫通しないで軸支されていることを特徴とする請求項１乃至５に記載の地下構造物用蓋の施錠構造。
【発明の詳細な説明】
【０００１】
【発明の属する技術分野】
本発明は、地下構造物用蓋の施錠構造に関し、詳しくは蓋本体とこの蓋本体を支持する受枠とを施錠可能にする地下構造物用蓋の施錠構造に関する。
尚、本願明細書でいう「地下構造物用蓋」とは、下水道における地下埋設物，地下構造施設等と地上とを通じる開口部を閉塞する大型鉄蓋，マンホール蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【０００２】
【従来の技術】
各種の地下構造物用蓋は、地下構造物の上端に設置されて路面等の地上に開口する受枠と、該受枠にテーパ嵌合等によって開口部を覆う蓋本体とを備え、蓋本体を蝶番構造によって受枠に取り付け、開蓋するときに該受枠に対して水平面内で旋回、または地面側に反転できるようにし、更に蓋本体と受枠とを施錠するための施錠構造を設けるものが一般的である。
【０００３】
受枠と蓋本体とを施錠するための施錠構造としては、例えば、特開平４−２７２３２５号公報に記載されているものがある。この施錠構造は、マンホールの蓋本体に貫通する垂直軸孔が形成され、前記垂直軸孔に遊挿される垂直軸としてのボルトと、該ボルトに固定されたコマブロック（錠本体）とからなるロック部材が前記垂直軸孔に設けられ、蓋本体とロック部材とは前記ボルトが貫通する皿バネ等の弾発部材により互いに押し付けられるように付勢されている。
【０００４】
施錠する場合には、ボルトの頭部をドライバ、スパナ等で回動操作することで、コマブロックが回動し、該コマブロックに設けた突出部が受枠のフランジと係合して施錠される。解錠する場合には、上述と反対方向にボルトの頭部を回動してコマブロックの突出部と受枠のフランジとの係合を解除する。ロック部材と蓋本体とが互いに押し付けるように付勢することにより簡単な構造でロック部材のみだりな回動を抑制し、振動或いは摩耗等により解錠されることを防止するようにしたものである。
【０００５】
【発明が解決しようとする課題】
上述した施錠構造にあっては、ロック部材の頭部が蓋本体の表面（上面）に露出しているために第三者が容易に解錠することが可能である。このため蓋本体が開蓋されて、マンホール内に異物が不法に投棄されて下水管路が詰まり、下水流路を閉塞したり、或いは、降雪時に除雪した雪がマンホール内に投棄されて汚水処理の負担増となり、下水処理の問題となっている。
【０００６】
本発明は、上述の点に鑑みてなされたもので、第三者が容易に解錠することができないようにした地下構造物用蓋の施錠構造を提供することを目的とする。
【０００７】
【課題を解決するための手段】
本発明は、受枠の内周面に設けた係止部と、蓋本体の裏面周縁に水平旋回可能に軸支され、上部に操作面を設けると共に、下部には前記係止部に係合可能な係合部を設けた錠本体と、前記蓋本体と前記錠本体との間に配設した付勢部材とからなり、前記錠本体は、閉蓋状態で前記操作面が前記蓋本体の縁巻に開設された開口部に臨むと共に、前記蓋本体を持ち上げたときに、前記操作面が前記受枠上端から見える状態で係止するように、前記係合部を前記係止部の真下位置に構成していることを特徴とする。
【０００８】
このような構成とすることで、蓋本体を開けるときには、作業者が蓋本体のバール穴に専用バールの先端を挿入し、受枠と蓋本体との食い込みを解除した後、蓋本体を僅かに引き上げて錠本体の操作面が受枠の上面から見えるようにする。次いで、作業者が操作面を押し、付勢部材の付勢力に抗して錠本体を水平回動させ、係合部を蓋本体の中心方向に後退させて係止部との係合を解除し、そのまま専用バールにより蓋本体を上方に引き上げて開蓋する。
【０００９】
蓋本体を閉蓋する場合には、作業者が蓋本体を持ち上げ、係合部が受枠の係止部に係合する位置に合わせるとともに、係合部が蓋本体の中心方向に後退するように回動させて蓋本体を受枠内に落とし込む。蓋本体が受枠に落ち込み、係合部が係止部を乗り越えると錠本体が付勢部材の付勢力により水平回動され、係合部が係止部の下方に位置して施錠可能とされる。
【００１０】
【発明の実施の形態】
本発明では、付勢部材で閉蓋状態での錠本体の捻りモーメントが０となるように調節したり、付勢部材による捻りモーメントに抗するストッパを設けた構成としたことによって、閉蓋状態において錠本体の係合部が係止部の真下位置で静止するため、施錠が確実となる。
【００１１】
本発明においては、前記係合部の先端上面に上向きの突起を設けた構成としている。
このような構成としたことによって、蓋本体を引き上げ過ぎると係合部の突起が係止部と係合するために、錠本体を水平回動させることができない。このため錠構造を知らない第三者が容易に解錠することを防止することができる。
【００１２】
本発明では、前記係合部は、錠本体の垂直軸から蓋本体の周縁に向けて斜めに突出させ、その下部を先端から錠本体の中心方向に向かって斜めに下降する斜面とした構成としている。
このような構成としたことによって、蓋本体を閉蓋する場合に作業者が蓋本体を持ち上げ、係合部が受枠の係止部に係合する位置に合わせて蓋本体を受枠内に落とし込むと、係合部の下部をなす斜面が受枠の内周縁に当接して錠本体が付勢部材の付勢力に抗して容易に水平回動し、係合部が蓋本体内即ち、蓋本体の中心方向に後退する。これにより作業者は、錠本体を何ら操作することなく容易に閉蓋することができる。
【００１３】
また、本発明においては、前記錠本体は、蓋本体を貫通しないように軸支されたことによって、錠本体内に土砂等が侵入しないため、錠本体が作動しなくなるという虞がない。
（実施例）
図１は、本発明に係る地下構造物用蓋の施錠構造の断面図を示す。図１において地下構造物用蓋１は、受枠２と蓋本体３とにより構成された平面視円形としており、その上面が地上面（ＧＬ）と面一をなして設置されている。受枠２は、その内周上面をテーパ状とした蓋本体３との嵌合面２ａを形成し、蓋本体３は、縁巻３ａの外周面３ａ’をテーパ状に縮径して嵌合面２ａに当接させている。この蓋本体３は、蝶番構造（図示せず）により受枠２に開閉可能に連結されており、受枠２に対して蓋本体３を持ち上げながら手前側に斜め上方に持ち上げ、水平旋回または反転させることで、開蓋可能としている。そして、受枠２と蓋本体３との間には、前記蝶番構造と反対側の位置に受枠２側に設けた係止部４と、該係止部４に係合させる蓋本体３側に設けた錠本体６が設けられている。
【００１４】
尚、上述した蝶番構造は、例えば、受枠２の内周に環状の蝶番座を突出して設け、その中に蓋本体３の裏面に揺動可能に取り付けた蝶番金物を差し込んだ構造の地下構造物用蓋では周知のものが採用できる。この蝶番構造は、蝶番金物が蝶番座に差し込まれた状態において該蝶番座に対して前後方向にある程度の自由度を持つものであり、本実施例においてもこのような蝶番構造を備えることで、開蓋時には蓋本体３を手前側に斜め上方に引き上げることが可能となっている。また、蓋本体３は、地下構造物内部の乱流揚圧を受けたときには蝶番構造の長さ分だけ真っ直ぐに押し上げられる。
【００１５】
図２に示すように受枠２は、内周上面に蓋本体３を嵌合支持する嵌合面２ａが形成され、下部には段差部２ｃを介して前記嵌合面２ａよりも僅かに小径の内周面２ｂが形成されている。内周面２ｂには凹部５が形成され、この凹部５の開口上端に周方向に沿って係止部４が突設されている。
図３および図４は、蓋本体３および錠本体６の分解斜視図で、蓋本体３は、受枠２の内周面２ｂに形成した凹部５の両側に位置するように袋状バール穴３ｃとリブ３ｄとが設けられており、袋状バール穴３ｃは、上面３ｂの周縁部に開口し、裏面下方に袋状に膨出している。リブ３ｄは、蓋本体３の裏面に縁巻３ａから中心方向に向かって半径方向に設けられている。縁巻３ａには、袋状バール穴３ｃとリブ３ｄとの間に受枠２の凹部５と対向して開口部３ｅが設けられている。開口部３ｅの蓋本体３の裏面には、ねじ穴３ｆが蓋本体３の周縁よりも僅かに内側、且つリブ３ｄに近接して設けられている。
【００１６】
蓋本体３の裏面には、錠本体６、付勢部材であるねじりコイルバネ１２、ボルト１３が設けられている。錠本体６は、垂直軸７と、この垂直軸７の上端に形成された頭部８と、下部に形成された係合部９とから成る。頭部８は、多面体をなし、内部にねじりコイルバネ１２を収納するための収納部１０が形成されている。この収納部１０は、係合部９と反対側（裏側）に開口されている。そして、錠本体６の軸心には垂直軸７の下端面から頭部８の上面８ａに貫通する軸孔１１が設けられている。
【００１７】
頭部８は、錠本体６を回動操作するための操作面８ｂを係合部９と同一側に形成し、この操作面８ｂの上部略中央に押し部８ｃが凹んで形成されている。また、頭部８の収納部１０の一側に形成した係止面８ｄは、開口部３ｅの一側端面３ｇに当接して錠本体６の回動を規制する。係合部９は、頭部８の操作面８ｂの下方に半径方向外方に向かって突出して設けられており、正面視略三角錐状をなしている。そして、係合部９は、上面９ａが略水平面をなし、両側面が先端から垂直軸７の中心方向下端に向かって斜めに下降する斜面９ｂ、９ｃ（図６）とされている。
【００１８】
錠本体６は、頭部８の収納部１０にねじりコイルバネ１２が収納され、蓋本体３の開口部３ｅの内側に上面８ａを蓋本体３の裏面に当接して垂直に配置され、軸孔１１の下端からボルト１３が挿入される。ボルト１３は、ねじりコイルバネ１２を遊貫して蓋本体３のねじ穴３ｆに螺合される。これにより錠本体６は、蓋本体３の裏面に水平旋回可能に垂直に軸支される。そして、図４に示すようにねじりコイルバネ１２は、一端１２ａがリブ３ｄの側面に係止され、他端１２ｂが錠本体６の頭部８の開口端８ｅに係止される。
【００１９】
錠本体６は、ねじりコイルバネ１２のばね力により図６の矢印Ａ方向に回動され、係止面８ｄが開口部３ｅの対向する端面３ｇに当接して係止される。この状態において図５に示すように頭部８の操作面８ｂが開口部３ｅを塞ぎ、係合部９が開口部３ｅの下方に位置し、且つ周縁に向かって斜めに外方に突出する。すなわち、端面３ｇは、蓋本体３の係合部９が係止部４の真下位置で静止するようにねじりコイルバネ１２による捻りモーメントに抗するストッパとされている。錠本体６は、図５および図６に示す状態で操作面８ｂの押し部８ｃを介してねじりコイルバネ１２のばね力に抗して図７の矢印Ｂ方向に頭部８を回動させるように押すことにより、矢印Ｃ方向に回動させることができ、係合部９を開口部３ｅから蓋本体３の中心方向に後退させることが可能とされている。
【００２０】
次に、図１および図８により解錠および施錠動作を説明する。
図１は、蓋本体３が受枠２に嵌合支持されている状態を示す。錠本体６は、ねじりコイルバネ１２のばね力により図６に示す状態に回動され、操作面８ｂが嵌合面２ａに僅かな間隙を存して対向し、係合部９が受枠２の凹部５内に収納され、且つ係止部４の真下に係合可能に位置している。
【００２１】
蓋本体３を開けるときには、作業者が図８に示すように蓋本体３の袋状バール穴３ｃに専用バール１５の先端１５ａを挿入し、受枠２と蓋本体３との食い込みを解除した後、蓋本体３を矢印Ｄで示すように引き上げて図９に示すように係合部９の上面９ａを係止部４に当接させ、錠本体６の操作面８ｂの押し部８ｃが受枠２の上面から見えるようにする。次いで、作業者が例えば、ドライバ１６等の先端で押し部８ｃを矢印Ｂ方向に押し、ねじりコイルバネ１２のばね力に抗して錠本体６を矢印Ｃ方向に水平回動させると係合部９が蓋本体３の中心方向に後退して係止部４との係合を解除し、そのまま専用バール１５により蓋本体３を上方に引き上げて開蓋する。
【００２２】
また、蓋本体３のバール穴を袋状バール穴３ｃとしたことにより、内部の錠本体６が全く見えないためバール穴３ｃから棒材等を挿入しても錠本体６を回動操作することができず、解錠される虞がない。
尚、バール穴は、実施例のように必ずしも袋状とする必要はなく、蓋本体３の縁を上下方向に貫通させる開放バール孔でも良い。しかしながら、前述したような理由により袋状とする方がより好ましい。
【００２３】
蓋本体３を閉蓋する場合には、作業者が蓋本体３を持ち上げ、係合部９が受枠２の係止部４に係合する位置に合わせて蓋本体３を受枠２内に落とし込む。係合部９の下部をなす斜面９ｂが受枠２の内周縁に当接すると、係合部９は、錠本体６の軸線から蓋本体３の周縁に向けて斜めに突出している（図５）ことから、錠本体６がねじりコイルバネ１２のばね力に抗して容易に図７の矢印Ｃ方向に水平回動し、係合部９が蓋本体３の中心方向に後退する。これにより作業者は、錠本体６を何ら操作する必要がなく、閉蓋操作が容易である。蓋本体３が受枠２に落ち込み、係合部９が受枠２の係止部４を乗り越えて凹部５に臨むと、錠本体６がねじりコイルバネ１２のばね力により図６の矢印Ａ方向に水平回動され、係合部９が蓋本体３の外方に斜めに飛び出して凹部５に収納される。そして、図１に示す閉蓋状態に復帰し、係合部９が係止部４の真下に位置して施錠される。
【００２４】
また、図１０は、係合部９の上面９ａの先端に突起９ｄを略垂直に突設させた錠本体６で、突起９ｄと垂直軸部７との間隔は、受枠２の係止部４の先端（下端）の肉厚よりも幅広く設定されており、これらの間に係止部４が係合し得るようにされている。
前記係合部９の先端に突起９ｄが上方に向かって垂直に設けられていることで、第三者が仮に蓋本体３を引き上げようとし、縁巻３ａの開口部３ｅに錠本体６の操作面８ｂがあることを知った場合でも、蓋本体３を引き上げ過ぎると図１０に示すように係合部９の突起９ｄが係止部４と係合するために、錠本体６を水平回動させることができない。このため、錠構造を知らない第三者が容易に解錠することを防止することができる。
【００２５】
以上、本発明の実施例を図面に基づいて説明したが、本発明は、前記実施例に限定されるものではない。
例えば、実施例においては、付勢部材としてねじりコイルバネを使用したが、そのほか、開蓋時のドライバ等によって操作面を押す動作や閉蓋時の係合部と受枠の内周縁との当接による錠本体の水平回動に併せて当該錠本体に巻回されるように、ゴム等の弾性体や自由端に重錘を設けた紐状体を蓋本体と錠本体との間に設けるなど、閉蓋時に錠本体が受枠の係止部の真下位置に復帰するような捻りモーメントを生じるものであれば、どのような部材でもよい。また、この付勢部材を、錠本体が受枠の係止部の真下位置にあるときに捻りモーメントが０となるように調節している場合は、ストッパを設けなくてもよい。
【００２６】
また、錠本体は、蓋本体の裏面に形成したねじ穴にボルトを螺合することによって水平旋回可能に軸支されているが、蓋本体を貫通するねじ孔にボルトを螺合してもよいし、蓋本体を貫通する孔に錠本体を直接軸支するようにしてもよい。さらに、実施例では、蓋本体３と受枠２とを蝶番構造で連結し、反対側に受枠の係止部に係合させる錠本体を設けたが、蝶番構造に代えて複数箇所に形成した係止部に各々錠本体を係合させてもよい。
【００２７】
また、錠本体６の係合部９を収納する凹部５を形成せずに、受枠２の内面に係止部４を突設してもよいし、係止部４に係合すれば係合部９が蓋本体３の周縁から突出していなくてもよい。
【００２８】
【発明の効果】
本発明の地下構造物用蓋の施錠構造では、錠本体が蓋本体の表面に露出してしないために、第三者に容易に解錠されることを防止することができる。
また、付勢部材で閉蓋状態での錠本体の捻りモーメントが０となるように調節したり、付勢部材による捻りモーメントに抗するストッパを設けたため、閉蓋状態で錠本体の係合部が係止部の真下位置となり、施錠を確実にすることができる。
【００２９】
また、係合部の先端に突起を設けた構造では、第三者が仮に蓋本体を引き上げようとし、縁巻の開口部に錠本体の操作面があることを知ったとしても、蓋本体を引き上げ過ぎた状態で解錠しようとすると、係合部の突起が係止部に係合したままであるために錠本体を回動させることができず、従って、錠構造を知らない第三者が容易に解錠することを防止することができる。
【００３０】
更に、閉蓋操作時に蓋本体を受枠内に落とし込むようにするだけで、係合部の下部に形成した斜面が受枠の内周面に当接すると、錠本体がばね部材のばね力に抗して水平回動し、係合部が蓋本体内に後退するため、閉蓋操作が容易である。そして、閉蓋すると同時に、付勢力により錠本体が水平回動させられ、係合部が受枠の係止部下方の元の位置に復帰して施錠状態とすることができる。
【００３１】
また、錠本体が蓋本体を貫通しないように軸支されたことによって、錠本体内に土砂等が侵入しないため、錠本体が作動しなくなるという虞がない。
【図面の簡単な説明】
【図１】本発明に係る地下構造物用蓋の施錠構造の断面図である。
【図２】図１の受枠に設けられた係止部の斜視図である。
【図３】図１の蓋本体に設けられた錠本体の外側斜め上方から見た分解斜視図である。
【図４】図３において蓋本体の裏側斜め下方から見た分解斜視図である。
【図５】錠本体を蓋本体に取り付けた状態の斜視図である。
【図６】図５の底面図である。
【図７】図６の解錠時を示す説明図である。
【図８】図１に示す施錠構造の開蓋時における解錠動作を示す説明図である。
【図９】図１に示す施錠構造の開蓋時における係合部と係止部との係合状態を示す説明図である。
【図１０】突起と係止部が係合し、解錠不能な状態を示す説明図である。
【符号の説明】
１  地下構造物用蓋
２  受枠
２ａ  嵌合面
３  蓋本体
３ａ  縁巻
３ｃ  袋状バール穴
３ｄ  リブ
３ｅ  開口部
３ｆ  ねじ穴
３ｇ  端面（ストッパ）
４  係止部
５  凹部
６  錠本体
７  垂直軸
８  頭部
９  係合部
９ａ  上面
９ｂ、９ｃ  斜面
９ｄ  突起
１０  収納部
１２  ねじりコイルバネ（付勢部材）
１３  ボルト
１５  専用バール
１６  ドライバ
【図１】
0003620947.tif 000002
【図２】
0003620947.tif 000003
【図３】
0003620947.tif 000004
【図４】
0003620947.tif 000005
【図５】
0003620947.tif 000006
【図６】
0003620947.tif 000007
【図７】
0003620947.tif 000008
【図８】
0003620947.tif 000009
【図９】
0003620947.tif 000010
【図１０】
0003620947.tif 000011